(57)【要約】【課題】資源オブジェクトのアクセス履歴を正確かつ詳細に管理すること。【解決手段】資源オブジェクトとしてのファイルＦ１  〜Ｆｎ  を格納する記憶部１０２と、ファイルへアクセス可能であって、各種コンピュータ機能（ウイルスチェック、定期バックアップ、ワードプロセッサ、表計算等）を実現する全てのアプリケーション実行部１０３１  〜１０３ｍ  を管理するためのアプリケーション情報データベース１２０と、アプリケーション実行部１０３１  〜１０３ｍ  のうちいずれかのアプリケーション実行部からファイルへのアクセスを検出するアクセス検出部１０４と、アクセス検出部１０４によりアクセスが検出された場合、アクセスされたファイルと当該アプリケーション実行部とを対応付けて、アクセス履歴を生成する管理部１０６とを備えている。【選択図】      図１
2004265141.tif 000002
【特許請求の範囲】
【請求項１】
コンピュータを、
資源オブジェクトを管理する資源オブジェクト管理手段、
前記資源オブジェクトへアクセス可能であって、各種コンピュータ機能を実現する全てのアプリケーションを管理するアプリケーション管理手段、
前記アプリケーションから前記資源オブジェクトへのアクセスを検出するアクセス検出手段、
前記アクセス検出手段によりアクセスが検出された場合、アクセスされた資源オブジェクトと当該アプリケーションとを対応付けて、アクセス履歴を管理するアクセス履歴管理手段、
として機能させるためのアクセス履歴管理プログラム。
【請求項２】
前記アクセス履歴管理手段は、クライアントからの要求に応じて前記アクセス履歴の情報を提示することを特徴とする請求項１に記載のアクセス履歴管理プログラム。
【請求項３】
前記全てのアプリケーションには、バッチ処理で自動実行されるアプリケーションが含まれていることを特徴とする請求項１または２に記載のアクセス履歴管理プログラム。
【請求項４】
前記アクセス履歴の情報には、アクセスされた資源オブジェクトを識別するための情報、当該アプリケーションを識別するための情報、アクセス時刻が含まれていることを特徴とする請求項１〜３のいずれか一つに記載のアクセス履歴管理プログラム。
【請求項５】
資源オブジェクトを管理する資源オブジェクト管理手段と、
前記資源オブジェクトへアクセス可能であって、各種コンピュータ機能を実現する全てのアプリケーションを管理するアプリケーション管理手段と、
前記アプリケーションから前記資源オブジェクトへのアクセスを検出するアクセス検出手段と、
前記アクセス検出手段によりアクセスが検出された場合、アクセスされた資源オブジェクトと当該アプリケーションとを対応付けて、アクセス履歴を管理するアクセス履歴管理手段と、
を備えたことを特徴とするアクセス履歴管理装置。
【請求項６】
前記アクセス履歴管理手段は、クライアントからの要求に応じて前記アクセス履歴の情報を提示することを特徴とする請求項５に記載のアクセス履歴管理装置。
【請求項７】
前記全てのアプリケーションには、バッチ処理で自動実行されるアプリケーションが含まれていることを特徴とする請求項５または６に記載のアクセス履歴管理装置。
【請求項８】
前記アクセス履歴の情報には、アクセスされた資源オブジェクトを識別するための情報、当該アプリケーションを識別するための情報、アクセス時刻が含まれていることを特徴とする請求項５〜７のいずれか一つに記載のアクセス履歴管理装置。
【請求項９】
資源オブジェクトを管理する資源オブジェクト管理工程と、
前記資源オブジェクトへアクセス可能であって、各種コンピュータ機能を実現する全てのアプリケーションを管理するアプリケーション管理工程と、
前記アプリケーションから前記資源オブジェクトへのアクセスを検出するアクセス検出工程と、
前記アクセス検出工程でアクセスが検出された場合、アクセスされた資源オブジェクトと当該アプリケーションとを対応付けて、アクセス履歴を管理するアクセス履歴管理工程と、
を含むことを特徴とするアクセス履歴管理方法。
【請求項１０】
前記アクセス履歴管理工程では、クライアントからの要求に応じて前記アクセス履歴の情報を提示することを特徴とする請求項９に記載のアクセス履歴管理方法。
【請求項１１】
前記全てのアプリケーションには、バッチ処理で自動実行されるアプリケーションが含まれていることを特徴とする請求項９または１０に記載のアクセス履歴管理方法。
【請求項１２】
前記アクセス履歴の情報には、アクセスされた資源オブジェクトを識別するための情報、当該アプリケーションを識別するための情報、アクセス時刻が含まれていることを特徴とする請求項９〜１１のいずれか一つに記載のアクセス履歴管理方法。
【発明の詳細な説明】
【０００１】
【発明の属する技術分野】
本発明は、コンピュータシステム上で取り扱われる資源オブジェクト（ファイル、各種情報等）を管理するためのアクセス履歴管理プログラム、アクセス履歴管理装置およびアクセス履歴管理方法に関するものであり、特に、資源オブジェクトのアクセス履歴を正確かつ詳細に管理することができるアクセス履歴管理プログラム、アクセス履歴管理装置およびアクセス履歴管理方法に関するものである。
【０００２】
【従来の技術】
特許文献１には、コンピュータシステム上で取り扱われる資源オブジェクトとしてのファイルへのアクセス履歴を管理し、このアクセス履歴をアクセス履歴アイコンとしてデスクトップ画面に表示するアクセス履歴提示装置が開示されている。
【０００３】
具体的には、従来のアクセス履歴提示装置では、ファイル空間に保管されている各種資源オブジェクトすなわちファイルにユーザがアクセス（ファイルの参照、変更）した場合のアクセス履歴情報が記録される。このアクセス履歴情報としては、アクセス時刻、アクセス属性（ファイルの参照または変更）、アクセスされたファイル名が含まれる。
【０００４】
また、従来のアクセス履歴提示装置では、図２０に示したアクセス履歴アイコン１０により、上記記録されたアクセス履歴情報がユーザに提示される。このアクセス履歴アイコン１０は、ファイルの参照および変更を時間軸上で表現するための矩形型のアイコンイメージである。
【０００５】
このアクセス履歴アイコン１０においては、水平方向が時間軸に設定されており、上半分がファイルの変更履歴の表示に割り当てられており、下半分がファイルの参照履歴の表示に割り当てられている。
【０００６】
すなわち、アクセス履歴アイコン１０においては、上述したアクセス履歴情報に基づいて、ファイルの参照が実行された各アクセス時刻に対応する時間軸上の位置に、参照履歴マーク１１および１２が付される。
【０００７】
同様にして、ファイルの変更が実行された各アクセス時刻に対応する時間軸上の位置には、変更履歴マーク１３および１４が付される。このように、従来のアクセス履歴提示装置では、ユーザによるファイルの参照や変更等のアクセス履歴に関する時間的なパターンをユーザに提示することが可能である。
【０００８】
また、従来のアクセス履歴提示装置においては、図２１に示したように、上述したアクセス履歴アイコン１０は、デスクトップ画面にファイルアイコンに対応付けて表示される。
【０００９】
すなわち、図２１（ａ）に示したデスクトップ画面２０には、ファイルアイコン３０、３１および３２、マウスカーソル４０が表示されている。これらのファイルアイコン３０、３１および３２は、ｃｐｆ．ｄｏｃ、ｈｏｌｏｓｉｇ．ｐｄｆおよびａｂｃ．ｄｏｃという各ファイルを表すアイコンイメージである。
【００１０】
そして、ユーザのマウス操作により、図２１（ｂ）に示したようにマウスカーソル４０がファイルアイコン３１（ｈｏｌｏｓｉｇ．ｐｄｆ）に置かれると、このファイル（ｈｏｌｏｓｉｇ．ｐｄｆ）に対応するアクセス履歴情報に基づいて、アクセス履歴アイコン１０がポップアップ表示される。
【００１１】
【特許文献１】
特開２００１−５１７６２号公報
【００１２】
【発明が解決しようとする課題】
ところで、前述したように、従来のアクセス履歴提示装置においては、図２１（ｂ）に示したアクセス履歴アイコン１０により、ユーザによるファイル（資源オブジェクト）の参照や変更等のアクセス履歴を視覚的にユーザに提示する例について説明した。
【００１３】
ここで、実際には、ユーザの操作によるファイルへのアクセスの他に、バックアップ処理やウイルスチェック処理等のようにユーザの操作と関係無く自動的に実行される処理でファイルへのアクセスが行われる場合もある。
【００１４】
しかしながら、図２１（ｂ）に示したアクセス履歴アイコン１０には、ユーザの操作に対応するアクセス履歴が反映されているが、バックアップ処理やウイルスチェック処理等に対応するアクセス履歴が反映されていない。
【００１５】
特に、重要なファイルの場合には、当該ファイルの所有者にとって、全てのアクセス履歴を漏れなく知りたいというセキュリティ上のニーズがある。しかしながら、従来のアクセス履歴提示装置においては、実際のアクセス履歴と、アクセス履歴アイコン１０で表現されるアクセス履歴とが一致しないという問題があり、かかる所有者のニーズに応えることができない。
【００１６】
また、従来のアクセス履歴提示装置においては、アクセス履歴アイコン１０ににより、ファイルへの参照および変更という簡単なアクセス履歴を提示しているにすぎず、アクセスの目的や動機等といった、より詳細なアクセス履歴を提示することができないという問題があった。
【００１７】
本発明は、上記に鑑みてなされたもので、資源オブジェクトのアクセス履歴を正確かつ詳細に管理することができるアクセス履歴管理プログラム、アクセス履歴管理装置およびアクセス履歴管理方法を提供することを目的とする。
【００１８】
【課題を解決するための手段】
上記目的を達成するために、請求項１にかかる発明は、コンピュータを、資源オブジェクトを管理する資源オブジェクト管理手段、前記資源オブジェクトへアクセス可能であって、各種コンピュータ機能を実現する全てのアプリケーションを管理するアプリケーション管理手段、前記アプリケーションから前記資源オブジェクトへのアクセスを検出するアクセス検出手段、前記アクセス検出手段によりアクセスが検出された場合、アクセスされた資源オブジェクトと当該アプリケーションとを対応付けて、アクセス履歴を管理するアクセス履歴管理手段、として機能させるためのアクセス履歴管理プログラムである。
【００１９】
この発明によれば、資源オブジェクトへアクセス可能であって、各種コンピュータ機能を実現する全てのアプリケーションを管理し、アプリケーションから資源オブジェクトへのアクセスが検出された場合、アクセスされた資源オブジェクトと当該アプリケーションとを対応付けて、アクセス履歴を管理することとしたので、資源オブジェクトのアクセス履歴を正確かつ詳細に管理することができる。
【００２０】
また、請求項２にかかる発明は、請求項１に記載のアクセス履歴管理プログラムにおいて、前記アクセス履歴管理手段は、クライアントからの要求に応じて前記アクセス履歴の情報を提示することを特徴とする。
【００２１】
この発明によれば、クライアントからの要求に応じてアクセス履歴の情報を提示することとしたので、正確かつ詳細なアクセス履歴を必要とするニーズに応えることができる。
【００２２】
また、請求項３にかかる発明は、請求項１または２に記載のアクセス履歴管理プログラムにおいて、前記全てのアプリケーションには、バッチ処理で自動実行されるアプリケーションが含まれていることを特徴とする。
【００２３】
この発明によれば、全てのアプリケーションに、バッチ処理で自動実行されるアプリケーションが含まれているため、ウイルスチェックや定期バックアップ等のように自動実行型のアプリケーションに関するアクセス履歴も漏れなく正確かつ詳細に管理することができる。
【００２４】
また、請求項４にかかる発明は、請求項１〜３のいずれか一つに記載のアクセス履歴管理プログラムにおいて、前記アクセス履歴の情報には、アクセスされた資源オブジェクトを識別するための情報、当該アプリケーションを識別するための情報、アクセス時刻が含まれていることを特徴とする。
【００２５】
この発明によれば、アクセス履歴の情報に、アクセスされた資源オブジェクトを識別するための情報、当該アプリケーションを識別するための情報、アクセス時刻が含まれているため、資源オブジェクトのアクセス履歴をさらに正確かつ詳細に管理することができる。
【００２６】
また、請求項５にかかる発明は、資源オブジェクトを管理する資源オブジェクト管理手段と、前記資源オブジェクトへアクセス可能であって、各種コンピュータ機能を実現する全てのアプリケーションを管理するアプリケーション管理手段と、前記アプリケーションから前記資源オブジェクトへのアクセスを検出するアクセス検出手段と、前記アクセス検出手段によりアクセスが検出された場合、アクセスされた資源オブジェクトと当該アプリケーションとを対応付けて、アクセス履歴を管理するアクセス履歴管理手段と、を備えたことを特徴とする。
【００２７】
この発明によれば、資源オブジェクトへアクセス可能であって、各種コンピュータ機能を実現する全てのアプリケーションを管理し、アプリケーションから資源オブジェクトへのアクセスが検出された場合、アクセスされた資源オブジェクトと当該アプリケーションとを対応付けて、アクセス履歴を管理することとしたので、資源オブジェクトのアクセス履歴を正確かつ詳細に管理することができる。
【００２８】
また、請求項６にかかる発明は、請求項５に記載のアクセス履歴管理装置において、前記アクセス履歴管理手段は、クライアントからの要求に応じて前記アクセス履歴の情報を提示することを特徴とする。
【００２９】
この発明によれば、クライアントからの要求に応じてアクセス履歴の情報を提示することとしたので、正確かつ詳細なアクセス履歴を必要とするニーズに応えることができる。
【００３０】
また、請求項７にかかる発明は、請求項５または６に記載のアクセス履歴管理装置において、前記全てのアプリケーションには、バッチ処理で自動実行されるアプリケーションが含まれていることを特徴とする。
【００３１】
この発明によれば、全てのアプリケーションに、バッチ処理で自動実行されるアプリケーションが含まれているため、ウイルスチェックや定期バックアップ等のように自動実行型のアプリケーションに関するアクセス履歴も漏れなく正確かつ詳細に管理することができる。
【００３２】
また、請求項８にかかる発明は、請求項５〜７のいずれか一つに記載のアクセス履歴管理装置において、前記アクセス履歴の情報には、アクセスされた資源オブジェクトを識別するための情報、当該アプリケーションを識別するための情報、アクセス時刻が含まれていることを特徴とする。
【００３３】
この発明によれば、アクセス履歴の情報に、アクセスされた資源オブジェクトを識別するための情報、当該アプリケーションを識別するための情報、アクセス時刻が含まれているため、資源オブジェクトのアクセス履歴をさらに正確かつ詳細に管理することができる。
【００３４】
また、請求項９にかかる発明は、資源オブジェクトを管理する資源オブジェクト管理工程と、前記資源オブジェクトへアクセス可能であって、各種コンピュータ機能を実現する全てのアプリケーションを管理するアプリケーション管理工程と、前記アプリケーションから前記資源オブジェクトへのアクセスを検出するアクセス検出工程と、前記アクセス検出工程でアクセスが検出された場合、アクセスされた資源オブジェクトと当該アプリケーションとを対応付けて、アクセス履歴を管理するアクセス履歴管理工程と、を含むことを特徴とする。
【００３５】
この発明によれば、資源オブジェクトへアクセス可能であって、各種コンピュータ機能を実現する全てのアプリケーションを管理し、アプリケーションから資源オブジェクトへのアクセスが検出された場合、アクセスされた資源オブジェクトと当該アプリケーションとを対応付けて、アクセス履歴を管理することとしたので、資源オブジェクトのアクセス履歴を正確かつ詳細に管理することができる。
【００３６】
また、請求項１０にかかる発明は、請求項９に記載のアクセス履歴管理方法において、前記アクセス履歴管理工程では、クライアントからの要求に応じて前記アクセス履歴の情報を提示することを特徴とする。
【００３７】
この発明によれば、クライアントからの要求に応じてアクセス履歴の情報を提示することとしたので、正確かつ詳細なアクセス履歴を必要とするニーズに応えることができる。
【００３８】
また、請求項１１にかかる発明は、請求項９または１０に記載のアクセス履歴管理方法において、前記全てのアプリケーションには、バッチ処理で自動実行されるアプリケーションが含まれていることを特徴とする。
【００３９】
この発明によれば、全てのアプリケーションに、バッチ処理で自動実行されるアプリケーションが含まれているため、ウイルスチェックや定期バックアップ等のように自動実行型のアプリケーションに関するアクセス履歴も漏れなく正確かつ詳細に管理することができる。
【００４０】
また、請求項１２にかかる発明は、請求項９〜１１のいずれか一つに記載のアクセス履歴管理方法において、前記アクセス履歴の情報には、アクセスされた資源オブジェクトを識別するための情報、当該アプリケーションを識別するための情報、アクセス時刻が含まれていることを特徴とする。
【００４１】
この発明によれば、アクセス履歴の情報に、アクセスされた資源オブジェクトを識別するための情報、当該アプリケーションを識別するための情報、アクセス時刻が含まれているため、資源オブジェクトのアクセス履歴をさらに正確かつ詳細に管理することができる。
【００４２】
【発明の実施の形態】
以下、図面を参照して本発明にかかるアクセス履歴管理プログラム、アクセス履歴管理装置およびアクセス履歴管理方法の一実施の形態について詳細に説明する。
【００４３】
図１は、本発明にかかる一実施の形態の構成を示すブロック図である。この図において、サーバ１００は、資源オブジェクトとしてのファイルを格納する機能、各種アプリケーションプログラム（ワードプロセッサ、定期バックアップ、ウイルスチェック等）を実行する機能、ファイルへのアクセス履歴を管理する機能、アクセス履歴を提供する機能等を備えたコンピュータ装置である。
【００４４】
このサーバ１００は、ネットワーク２００を介して、後述するクライアント３００１  〜３００ｓ  および管理者端末４００と相互接続される。サーバ１００において、通信インタフェース１０１は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の所定の通信プロトコルに従って、ネットワーク２００に接続されたクライアント３００１  〜３００ｓ  および管理者端末４００との間で通信を行う。
【００４５】
ネットワーク２００は、インターネット、イントラネット、ＬＡＮ（Ｌｏｃａｌ  Ａｒｅａ  Ｎｅｔｗｏｒｋ）等である。クライアント３００１  〜３００ｓ  のそれぞれは、ユーザ側に設けられたコンピュータ装置であり、ネットワーク２００を介してサーバ１００に接続し、ファイル操作、アクセス履歴の照会等を行う。
【００４６】
管理者端末４００は、サーバ１００を管理する管理者側に設けられたコンピュータ装置であり、ネットワーク２００を介してサーバ１００に接続し、アプリケーションプログラムのインストールや、後述するアプリケーション情報の登録等を行う。
【００４７】
記憶部１０２は、クライアント３００１  〜３００ｓ  よりアップロードされたファイルＦ１  〜Ｆｎ  を格納する。アプリケーション実行部１０３１  〜１０３ｍ  のそれぞれは、サーバ１００にインストールされた各アプリケーションプログラム（図示略）を実行する機能モジュールである。
【００４８】
アプリケーションプログラムとしては、ワードプロセッサ、表計算、顧客サービス、ファイル共有サービス、定期バックアップ、ウイルスチェック等を実現するためのプログラムが挙げられる。
【００４９】
ここで、定期バックアップやウイルスチェックは、ユーザの操作と関係無く自動的に実行される。定期バックアップとは、記憶部１０２に格納された各ファイルを定期的にバックアップ領域にバックアップする機能である。ウイルスチェックとは、記憶部１０２に格納された各ファイルがコンピュータウイルスに感染しているか否かのチェック機能である。
【００５０】
また、アプリケーション実行部１０３１  〜１０３ｍ  のそれぞれは、アプリケーションプログラムの実行中に、ユーザの操作に基づいて、または自動的に、記憶部１０２に格納された各ファイルにアクセスする。
【００５１】
アクセス検出部１０４は、記憶部１０２に格納されたファイルＦ１  〜Ｆｎ  へのアクセス（ファイルの参照、更新等）を検出する機能を備えている。制御部１０５は、クライアント３００１  〜３００ｓ  や管理者端末４００からの各種要求（情報登録要求、情報取得要求、情報削除要求等）に基づいて、各部を制御する。この制御部１０５の動作の詳細については後述する。
【００５２】
管理部１０６は、制御部１０５の制御の下で、ファイル情報データベース１１０、アプリケーション情報データベース１２０およびアクセス履歴情報データベース１３０へのアクセスを管理する。
【００５３】
ファイル情報データベース１１０は、記憶部１０２に格納される各ファイル（ファイルＦ１  〜Ｆｎ  ）に関するファイル情報を格納するデータベースである。具体的には、ファイル情報データベース１１０は、図２に示したように、「ファイルＩＤ」、「物理ファイル情報」、「論理ファイル情報」および「所有者情報」というフィールドを備えている。
【００５４】
「ファイルＩＤ（Ｉｄｅｎｔｉｆｉｃａｔｉｏｎ  Ｄａｔａ）」は、記憶部１０２（図１参照）に格納された各ファイルを識別するための識別子であり、アルファベットや数字の組み合わせで構成される。
【００５５】
「物理ファイル情報」は、記憶部１０２における当該ファイルの格納場所（同図では、ディレクトリ表示）を表す情報である。「論理ファイル情報」は、当該ファイルの名称（ファイル名および拡張子）に関する情報である。「所有者情報」は、当該ファイルの所有者に関する情報である。
【００５６】
図１に戻り、アプリケーション情報データベース１２０は、アプリケーション実行部１０３１  〜１０３ｍ  のそれぞれ実行されるアプリケーションプログラムに関するアプリケーション情報を格納するデータベースである。
【００５７】
具体的には、アプリケーション情報データベース１２０は、図３に示したように、「アプリケーションＩＤ」、「物理アプリケーション名」および「論理アプリケーション名」というフィールドを備えている。
【００５８】
「アプリケーションＩＤ」は、当該アプリケーションプログラムを識別するための識別子であり、アルファベットと数字との組み合わせで構成される。「物理アプリケーション名」は、アプリケーション実行部で認識されている当該アプリケーションプログラムの名称（機能）に関する情報である。「論理アプリケーション名」は、当該アプリケーションプログラムの名称（機能）に関する情報である。
【００５９】
図１に戻り、アクセス履歴情報データベース１３０は、記憶部１０２に格納されている各ファイル（ファイルＦ１  〜Ｆｎ  ）のアクセス履歴に関するアクセス履歴情報を格納するデータベースである。
【００６０】
具体的には、アクセス履歴情報データベース１３０は、図４に示したように、「ファイルＩＤ」、「アプリケーションＩＤ」、「アクセス時刻」、「所有者情報」、「論理ファイル情報」および「論理アプリケーション名」というフィールドを備えている。
【００６１】
「ファイルＩＤ」、「所有者情報」および「論理ファイル情報」は、図２に示したファイル情報データベース１１０の「ファイルＩＤ」、「所有者情報」および「論理ファイル情報」に対応している。「アクセス時刻」は、当該ファイルがアクセスされた時刻に関する情報である。「アプリケーションＩＤ」および「論理アプリケーション名」は、図３に示したアプリケーション情報データベース１２０の「アプリケーションＩＤ」および「論理アプリケーション名」に対応している。
【００６２】
つぎに、上述した一実施の形態の動作について、図５〜図１７に示したフローチャートを参照しつつ説明する。図５に示したステップＳＡ１では、サーバ１００の制御部１０５は、管理者端末４００よりアプリケーション情報の登録要求があるか否かを判断し、この場合、判断結果を「Ｎｏ」とする。
【００６３】
ステップＳＡ２では、制御部１０５は、管理者端末４００よりアプリケーション情報の取得要求があるか否かを判断し、この場合、判断結果を「Ｎｏ」とする。ステップＳＡ３では、制御部１０５は、管理者端末４００よりアプリケーション情報の更新要求があるか否かを判断し、この場合、判断結果を「Ｎｏ」とする。
【００６４】
ステップＳＡ４では、制御部１０５は、管理者端末４００よりアプリケーション情報の削除要求があるか否かを判断し、この場合、判断結果を「Ｎｏ」とする。ステップＳＡ５では、アプリケーション実行部１０３１  〜１０３ｍ  のうちいずれかのアプリケーション実行部は、クライアント３００１  〜３００ｓ  のうちいずれかのクライアントより、記憶部１０２に格納すべきファイルのアップロード要求があるか否かを判断し、この場合、判断結果を「Ｎｏ」とする。
【００６５】
ステップＳＡ６では、アプリケーション実行部１０３１  〜１０３ｍ  のうちいずれかのアプリケーション実行部は、クライアント３００１  〜３００ｓ  のうちいずれかのクライアントよりファイル情報の登録要求があるか否かを判断し、この場合、判断結果を「Ｎｏ」とする。
【００６６】
ステップＳＡ７では、アプリケーション実行部１０３１  〜１０３ｍ  のうちいずれかのアプリケーション実行部は、クライアント３００１  〜３００ｓ  のうちいずれかのクライアントより、ファイル情報データベース１１０におけるファイル情報の取得要求があるか否かを判断し、この場合、判断結果を「Ｎｏ」とする。
【００６７】
ステップＳＡ８では、アプリケーション実行部１０３１  〜１０３ｍ  のうちいずれかのアプリケーション実行部は、クライアント３００１  〜３００ｓ  のうちいずれかのクライアントより、記憶部１０２に格納されたファイルの削除要求があるか否かを判断し、この場合、判断結果を「Ｎｏ」とする。
【００６８】
図６に示したステップＳＡ９では、アプリケーション実行部１０３１  〜１０３ｍ  のうちいずれかのアプリケーション実行部は、クライアント３００１  〜３００ｓ  のうちいずれかのクライアントより、ファイル情報データベース１１０に格納されたファイル情報の削除要求があるか否かを判断し、この場合、判断結果を「Ｎｏ」とする。
【００６９】
ステップＳＡ１０では、アクセス検出部１０４は、記憶部１０２に格納されたファイルＦ１  〜Ｆｎ  へのアクセスを検出したか否かを判断し、この場合、判断結果を「Ｎｏ」とする。
【００７０】
ステップＳＡ１１では、アプリケーション実行部１０３１  〜１０３ｍ  のうちいずれかのアプリケーション実行部は、クライアント３００１  〜３００ｓ  のうちいずれかのクライアントより、アクセス履歴情報データベース１３０に格納されたアクセス履歴情報の取得要求があるか否かを判断し、この場合、判断結果を「Ｎｏ」とする。以後、判断結果が「Ｙｅｓ」になるまで、ステップＳＡ１（図５参照）〜ステップＳＡ１１が繰り返される。
【００７１】
そして、例えば、管理者端末４００により、定期バックアップを行うためのアプリケーションプログラムがアプリケーション実行部１０３１  にインストールされた場合、管理者端末４００は、制御部１０５に対して、当該アプリケーションプログラムに関するアプリケーション情報の登録要求を出す。
【００７２】
これにより、制御部１０５は、図５に示したステップＳＡ１の判断結果を「Ｙｅｓ」とする。ステップＳＡ１２では、アプリケーション情報登録処理が実行される。
【００７３】
具体的には、図７に示したステップＳＢ１では、制御部１０５は、当該アプリケーション実行部１０３１  から、「アプリケーションＩＤ」としての「Ｓｙｓｔｅｍ０００１」、「物理アプリケーション名」としての「ＦｉｌｅＢａｃｋｕｐ」、および「論理アプリケーション名」としての「定期バックアップ」をアプリケーション情報として取得する。
【００７４】
ステップＳＢ２では、制御部１０５は、ステップＳＢ１で取得したアプリケーション情報を管理部１０６へ渡す。これにより、管理部１０６は、上記アプリケーション情報（「Ｓｙｓｔｅｍ０００１」、「ＦｉｌｅＢａｃｋｕｐ」および「定期バックアップ」）を図３に示したアプリケーション情報データベース１２０に登録する。以後、アプリケーション情報登録処理が繰り返し実行されることにより、アプリケーション情報データベース１２０には、アプリケーション情報が順次登録される。
【００７５】
また、例えば、管理者端末４００からサーバ１００へ、図３に示したアプリケーション情報データベース１２０から所望のアプリケーション情報を取得するための取得要求が出されると、制御部１０５は、図５に示したステップＳＡ２の判断結果を「Ｙｅｓ」とする。ステップＳＡ１３では、アプリケーション情報取得処理が実行される。
【００７６】
具体的には、図８に示したステップＳＣ１では、制御部１０５は、アプリケーション情報データベース１２０から、取得要求されたアプリケーション情報（例えば、アプリケーションＩＤ＝Ｓｙｓｔｅｍ０００１に対応）を管理部１０６に取得させる。ステップＳＣ２では、制御部１０５は、ステップＳＣ１で取得されたアプリケーション情報を管理者端末４００へ送信する。
【００７７】
また、例えば、管理者端末４００からサーバ１００へ、図３に示したアプリケーション情報データベース１２０に登録されているアプリケーション情報を更新するための更新要求が出されると、制御部１０５は、図５に示したステップＳＡ３の判断結果を「Ｙｅｓ」とする。ステップＳＡ１４では、アプリケーション情報更新処理が実行される。
【００７８】
具体的には、図９に示したステップＳＤ１では、制御部１０５は、管理者端末４００より更新後のアプリケーション情報を取得する。ステップＳＤ２では、制御部１０５は、ステップＳＤ１で取得したアプリケーション情報を管理部１０６に渡す。これにより、管理部１０６は、当該アプリケーション情報でアプリケーション情報データベース１２０を更新する。
【００７９】
また、例えば、管理者端末４００からサーバ１００へ、図３に示したアプリケーション情報データベース１２０に登録されているアプリケーション情報を削除するための削除要求が出されると、制御部１０５は、図５に示したステップＳＡ４の判断結果を「Ｙｅｓ」とする。ステップＳＡ１５では、アプリケーション情報削除処理が実行される。
【００８０】
具体的には、図１０に示したステップＳＥ１では、制御部１０５は、管理者端末４００より削除すべきアプリケーション情報を取得する。ステップＳＥ２では、制御部１０５は、ステップＳＥ１で取得したアプリケーション情報を管理部１０６に渡す。これにより、管理部１０６は、アプリケーション情報データベース１２０から当該アプリケーション情報を削除する。
【００８１】
また、例えば、クライアント３００１  がサーバ１００にアクセスし、アプリケーション実行部１０３ｍ  をワードプロセッサとして機能させ、作成したファイルを記憶部１０２に格納する場合、クライアント３００１  は、当該ファイルのアップロード要求をアプリケーション実行部１０３ｍ  へ出す。
【００８２】
これにより、アプリケーション実行部１０３ｍ  は、図５に示したステップＳＡ５の判断結果を「Ｙｅｓ」とする。ステップＳＡ１６では、ファイルアップロード処理が実行される。
【００８３】
具体的には、図１１に示したステップＳＦ１では、アプリケーション実行部１０３ｍ  は、クライアント３００１  より、例えば、ファイルＦ１  を取得する。ステップＳＦ２では、アプリケーション実行部１０３ｍ  は、アクセス検出部１０４を経由して、取得したファイルＦ１  を記憶部１０２（例えば、Ｅ：￥ＦＩＬＥＳ￥０００１）に新規格納する。
【００８４】
ステップＳＦ３では、アプリケーション実行部１０３ｍ  は、クライアント３００１  から、「ファイルＩＤ」としての「Ｆｉｌｅ０００１」、「物理ファイル情報」としての「Ｅ：￥ＦＩＬＥＳ￥０００１」、「論理ファイル情報」としての「議事録．ＴＸＴ」および「所有者情報」としての「Ｔａｒｏ」をファイル情報として取得する。
【００８５】
ステップＳＦ４では、アプリケーション実行部１０３ｍ  は、上記ファイル情報を制御部１０５に渡し、ファイル情報データベース１１０への登録を依頼する。これにより、制御部１０５は、管理部１０６に上記ファイル情報を渡し、図２に示したファイル情報データベース１１０に登録させる。
【００８６】
また、一実施の形態では、記憶部１０２にファイルＦ１  が格納されている場合、ファイルＦ１  に対応するファイル情報のみをファイル情報データベース１１０に登録することも可能である。この場合、例えば、クライアント３００１  は、サーバ１００にアクセスし、アプリケーション実行部１０３ｍ  に対して、ファイル情報の登録要求を出す。
【００８７】
これにより、アプリケーション実行部１０３ｍ  は、図５に示したステップＳＡ６の判断結果を「Ｙｅｓ」とする。ステップＳＡ１７では、ファイル情報登録処理が実行される。
【００８８】
具体的には、図１２に示したステップＳＧ１では、アプリケーション実行部１０３ｍ  は、クライアント３００１  から、「ファイルＩＤ」としての「Ｆｉｌｅ０００１」、「物理ファイル情報」としての「Ｅ：￥ＦＩＬＥＳ￥０００１」、「論理ファイル情報」としての「議事録．ＴＸＴ」および「所有者情報」としての「Ｔａｒｏ」を、ファイルＦ１  に対応するファイル情報として取得する。
【００８９】
ステップＳＧ２では、アプリケーション実行部１０３ｍ  は、上記ファイル情報を制御部１０５に渡し、ファイル情報データベース１１０への登録を依頼する。これにより、制御部１０５は、管理部１０６に上記ファイル情報を渡し、図２に示したファイル情報データベース１１０に登録させる。
【００９０】
また、例えば、クライアント３００１  からサーバ１００へ、図２に示したファイル情報データベース１１０から所望のファイル情報を取得するための取得要求が出されると、例えば、アプリケーション実行部１０３ｍ  は、図５に示したステップＳＡ７の判断結果を「Ｙｅｓ」とする。ステップＳＡ１８では、ファイル情報取得処理が実行される。
【００９１】
具体的には、図１３に示したステップＳＨ１では、アプリケーション実行部１０３ｍ  は、クライアント３００１  から、取得すべきファイル情報に対応するファイルＩＤを取得する。
【００９２】
ステップＳＨ２では、アプリケーション実行部１０３ｍ  は、制御部１０５にファイルＩＤを渡し、ファイル情報データベース１１０からのファイル情報の取得を依頼する。
【００９３】
これにより、制御部１０５は、管理部１０６に上記ファイルＩＤを渡し、図２に示したファイル情報データベース１１０からファイルＩＤに対応するファイル情報を取得させる。ステップＳＨ３では、制御部１０５は、ステップＳＨ２で取得されたファイル情報をクライアント３００１  へ送信する。
【００９４】
また、例えば、クライアント３００１  からサーバ１００へ、記憶部１０２に格納されているファイルを削除するための削除要求が出されると、例えば、アプリケーション実行部１０３ｍ  は、図５に示したステップＳＡ８の判断結果を「Ｙｅｓ」とする。ステップＳＡ１９では、ファイル削除処理が実行される。
【００９５】
具体的には、図１４に示したステップＳＩ１では、アプリケーション実行部１０３ｍ  は、クライアント３００１  より削除要求されたファイル（例えば、ファイルＦ１  ）を記憶部１０２から削除する。ステップＳＩ２では、アプリケーション実行部１０３ｍ  は、削除されたファイルＦ１  に対応するファイルＩＤを制御部１０５へ渡し、ファイル情報の削除を依頼する。
【００９６】
これにより、ステップＳＩ３では、制御部１０５は、ファイルＩＤをキーとして、管理部１０６にファイル情報データベース１１０から当該ファイル情報を削除させる。
【００９７】
また、例えば、クライアント３００１  からサーバ１００へ、ファイル情報データベース１１０に登録されているファイル情報を削除するための削除要求が出されると、例えば、アプリケーション実行部１０３ｍ  は、図６に示したステップＳＡ９の判断結果を「Ｙｅｓ」とする。ステップＳＡ２０では、ファイル情報削除処理が実行される。
【００９８】
具体的には、図１５に示したステップＳＪ１では、アプリケーション実行部１０３ｍ  は、クライアント３００１  より削除すべきファイル情報に対応するファイルＩＤを取得する。
【００９９】
ステップＳＪ２では、アプリケーション実行部１０３ｍ  は、上記ファイルＩＤを制御部１０５に渡し、ファイル情報データベース１１０からの当該ファイル情報の削除を依頼する。これにより、制御部１０５は、ファイルＩＤをキーとして、管理部１０６にファイル情報データベース１１０から当該ファイル情報を削除させる。
【０１００】
つぎに、記憶部１０２に格納されたファイルＦ１  〜Ｆｎ  にアクセスがあった場合のアクセス履歴を管理する方法について説明する。例えば、アプリケーション実行部１０３２  でウイルスチェック用のアプリケーションが実行されている場合、アプリケーション実行部１０３２  は、バッチ処理等により自動的に記憶部１０２のファイルＦ１  にアクセスし、ウイルスチェックを実行する。
【０１０１】
これにより、アクセス検出部１０４は、図６に示したステップＳＡ１０の判断結果を「Ｙｅｓ」とする。ステップＳＡ２１では、アクセス履歴情報登録処理が実行される。
【０１０２】
具体的には、図１６に示したステップＳＫ１では、アクセス検出部１０４は、アクセスされたファイルＦ１  に対応するファイルＩＤ（例えば、Ｆｉｌｅ０００１）および、アクセス元のアプリケーション実行部１０３２  に対応するアプリケーションＩＤ（例えば、Ｓｙｓｔｅｍ０１０２）をアプリケーション実行部１０３２  より取得する。つぎに、アクセス検出部１０４は、取得したファイルＩＤおよびアプリケーションＩＤを管理部１０６に渡し、アクセス履歴情報の登録を依頼する。
【０１０３】
ステップＳＫ２では、管理部１０６は、ファイルＩＤ（＝Ｆｉｌｅ０００１）をキーとして、図２に示したファイル情報データベース１１０からファイル情報（この場合、Ｆｉｌｅ０００１、Ｅ：￥ＦＩＬＥＳ￥０００１、議事録．ＴＸＴ、Ｔａｒｏ）を取得する。
【０１０４】
ステップＳＫ３では、管理部１０６は、アプリケーションＩＤ（＝Ｓｙｓｔｅｍ０１０２）をキーとして、図３に示したアプリケーション情報データベース１２０からアプリケーション情報（この場合、Ｓｙｓｔｅｍ０１０２、ＶｉｒｕｓＣｈｅｃｋ、ウイルスチェック）を取得する。
【０１０５】
ステップＳＫ４では、管理部１０６は、ステップＳＫ３で取得したアプリケーション情報に「物理アプリケーション名」（図３参照）が登録されているか否かを判断する。この場合、「物理アプリケーション名」としてＶｉｒｕｓＣｈｅｃｋが登録されているため、管理部１０６は、ステップＳＫ４の判断結果を「Ｙｅｓ」とする。
【０１０６】
ステップＳＫ５では、管理部１０６は、ステップＳＫ２で取得したファイル情報と、ステップＳＫ３で取得したアプリケーション情報とに基づいて、ウイルスチェック時におけるファイルＦ１  に関するアクセス履歴情報（図４参照）を生成する。
【０１０７】
具体的には、管理部１０６は、ファイル情報から、Ｆｉｌｅ０００１（ファイルＩＤ）、議事録．ＴＸＴ（論理ファイル情報）およびＴａｒｏ（所有者情報）を抽出する。つぎに、管理部１０６は、アプリケーション情報から、Ｓｙｓｔｅｍ０１０２（アプリケーションＩＤ）およびウイルスチェック（論理アプリケーション名）を抽出する。
【０１０８】
つぎに、管理部１０６は、アクセス検出部１０４より、アプリケーション実行部１０３２  からファイルＦ１  へのアクセスを検出したアクセス時刻の情報を取得する。
【０１０９】
そして、管理部１０６は、上記抽出された情報とアクセス時刻の情報とからアクセス履歴情報を生成する。ステップＳＫ６では、管理部１０６は、ステップＳＫ５で生成したアクセス履歴情報を図４に示したアクセス履歴情報データベース１３０に登録する。
【０１１０】
一方、ステップＳＫ３で取得したアプリケーション情報に「物理アプリケーション名」（図３参照）が登録されていない場合、管理部１０６は、ステップＳＫ４の判断結果を「Ｎｏ」とする。
【０１１１】
ステップＳＫ７では、管理部１０６は、ステップＳＫ５と同様にして、ステップＳＫ２で取得したファイル情報と、ステップＳＫ３で取得したアプリケーション情報とに基づいて、ウイルスチェック時におけるファイルＦ１  に関するアクセス履歴情報を生成する。
【０１１２】
但し、この場合には、アクセス履歴情報における論理アプリケーション名（図４参照）は、未登録とされる。ステップＳＫ６では、管理部１０６は、ステップＳＫ７で生成したアクセス履歴情報をアクセス履歴情報データベース１３０に登録する。
【０１１３】
なお、他のアプリケーション実行部（アプリケーション実行部１０３１  、１０３ｍ  等）が記憶部１０２に格納されているファイルにアクセスした場合にも、前述したアクセス履歴情報登録処理が実行され、図４に示したアクセス履歴情報データベース１３０にアクセス履歴情報が順次格納される。
【０１１４】
また、例えば、クライアント３００１  からサーバ１００へ、図４に示したアクセス履歴情報データベース１３０から所望のアクセス履歴情報を取得するための取得要求が出されると、例えば、アプリケーション実行部１０３１  は、図６に示したステップＳＡ１１の判断結果を「Ｙｅｓ」とする。
【０１１５】
ステップＳＡ２２では、アクセス履歴情報取得処理が実行される。具体的には、図１７に示したステップＳＬ１では、アプリケーション実行部１０３１  は、クライアント３００１  から、取得すべきアクセス履歴情報に対応するファイルＩＤ（単数または複数）を取得する。
【０１１６】
ステップＳＬ２では、アプリケーション実行部１０３１  は、制御部１０５にステップＳＬ１で取得したファイルＩＤを渡し、アクセス履歴情報データベース１３０からのアクセス履歴情報の取得を依頼する。
【０１１７】
これにより、制御部１０５は、管理部１０６に上記ファイルＩＤを渡し、図４に示したアクセス履歴情報データベース１３０からファイルＩＤに対応するアクセス履歴情報を取得させる。この場合には、図４に示したＦｉｌｅ０００１（議事録．ＴＸＴ）、Ｆｉｌｅ０００２（住所録．ＤＡＴ）およびＦｉｌｅ０１０１（購入伺い．ＴＸＴ）に対応するアクセス履歴情報が取得されたとする。
【０１１８】
ステップＳＬ３では、制御部１０５は、ステップＳＬ２で取得されたアクセス履歴情報をクライアント３００１  へ送信する。そして、アクセス履歴情報がクライアント３００１  に受信されると、クライアント３００１  は、図１８（ａ）に示したように、画面５００にアクセス履歴情報をツリーノード形式で表示させる。同図では、議事録．ＴＸＴ、住所録．ＤＡＴおよび購入伺い．ＴＸＴという３つのファイルに対応するアクセス履歴情報が表示されている。
【０１１９】
ここで、議事録．ＴＸＴに対しては、２種の参照（アクセス）があったことを意味している。住所録．ＤＡＴに対しては、４種の参照（アクセス）があったことを意味している。同様にして、購入伺い．ＴＸＴに対しては、３種の参照（アクセス）があったことを意味している。
【０１２０】
また、図１８（ａ）に示した住所録．ＤＡＴの展開ボタン５０１がクリックされると、図１８（ｂ）に示したように、４種の参照に対応する詳細情報として、アクセス履歴情報に含まれる論理アプリケーション名（図４参照）が表示される。
【０１２１】
この場合には、「未登録」（ステップＳＫ７：図１６）、「ウイルスチェック」、「定期バックアップ」および「ファイル共有サービス」を実行する各アプリケーション実行部により、住所録．ＤＡＴに対応するファイルがアクセスされたことを意味している。さらに、図１８（ｂ）に示した住所録．ＤＡＴの展開ボタン５０２および５０３がクリックされると、図１８（ｃ）に示したように、アクセス時刻が表示される。
【０１２２】
なお、一実施の形態では、資源オブジェクトの例として、ファイルを一例にとって説明したがアクセス対象であれば、これに限定されることなく、各種情報、データ、メモリデータ等も含まれる。
【０１２３】
以上説明したように、一実施の形態によれば、記憶部１０２に格納されたファイルＦ１  〜Ｆｎ（資源オブジェクト）へアクセス可能であって、各種コンピュータ機能（ウイルスチェック、定期バックアップ、ワードプロセッサ、表計算等）を実現する全てのアプリケーション実行部１０３１  〜１０３ｍ  をアプリケーション情報データベース１２０により管理し、アクセス検出部１０４によりアプリケーション実行部からファイルへのアクセスが検出された場合、アクセスされたファイルと当該アプリケーション実行部とを対応付けて、アクセス履歴情報（図４参照）を管理することとしたので、資源オブジェクトのアクセス履歴を正確かつ詳細に管理することができる。
【０１２４】
また、一実施の形態によれば、図１８（ａ）〜（ｃ）に示したように、クライアント３００１  〜３００ｓ  のうちいずれかのクライアントからの要求に応じてアクセス履歴の情報を提示することとしたので、正確かつ詳細なアクセス履歴を必要とするニーズに応えることができる。
【０１２５】
また、一実施の形態によれば、アプリケーション実行部１０３１  〜１０３ｍ  にバッチ処理で自動実行されるアプリケーション実行部が含まれているため、ウイルスチェックや定期バックアップ等のように自動実行型のアプリケーション実行部に関するアクセス履歴も漏れなく正確かつ詳細に管理することができる。
【０１２６】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０１２７】
例えば、前述した一実施の形態においては、サーバ１００の機能を実現するためのプログラムを図１９に示したコンピュータ読み取り可能な記録媒体７００に記録して、この記録媒体７００に記録されたプログラムを同図に示したコンピュータ６００に読み込ませ、実行することにより各機能を実現してもよい。
【０１２８】
同図に示したコンピュータ６００は、上記プログラムを実行するＣＰＵ（Ｃｅｎｔｒａｌ  Ｐｒｏｃｅｓｓｉｎｇ  Ｕｎｉｔ）６１０と、キーボード、マウス等の入力装置６２０と、各種データを記憶するＲＯＭ（Ｒｅａｄ  Ｏｎｌｙ  Ｍｅｍｏｒｙ）６３０と、演算パラメータ等を記憶するＲＡＭ（Ｒａｎｄｏｍ  Ａｃｃｅｓｓ  Ｍｅｍｏｒｙ）６４０と、記録媒体７００からプログラムを読み取る読取装置６５０と、ディスプレイ、プリンタ等の出力装置６６０と、装置各部を接続するバス６７０とから構成されている。
【０１２９】
ＣＰＵ６１０は、読取装置６５０を経由して記録媒体７００に記録されているプログラムを読み込んだ後、プログラムを実行することにより、前述した機能を実現する。なお、記録媒体７００としては、光ディスク、フレキシブルディスク、ハードディスク等が挙げられる。
【０１３０】
【発明の効果】
以上説明したように、請求項１、５、９にかかる発明によれば、資源オブジェクトへアクセス可能であって、各種コンピュータ機能を実現する全てのアプリケーションを管理し、アプリケーションから資源オブジェクトへのアクセスが検出された場合、アクセスされた資源オブジェクトと当該アプリケーションとを対応付けて、アクセス履歴を管理することとしたので、資源オブジェクトのアクセス履歴を正確かつ詳細に管理することができるという効果を奏する。
【０１３１】
また、請求項２、６、１０にかかる発明によれば、クライアントからの要求に応じてアクセス履歴の情報を提示することとしたので、正確かつ詳細なアクセス履歴を必要とするニーズに応えることができるという効果を奏する。
【０１３２】
また、請求項３、７、１１にかかる発明によれば、全てのアプリケーションに、バッチ処理で自動実行されるアプリケーションが含まれているため、ウイルスチェックや定期バックアップ等のように自動実行型のアプリケーションに関するアクセス履歴も漏れなく正確かつ詳細に管理することができるという効果を奏する。
【０１３３】
また、請求項４、８、１２にかかる発明によれば、アクセス履歴の情報に、アクセスされた資源オブジェクトを識別するための情報、当該アプリケーションを識別するための情報、アクセス時刻が含まれているため、資源オブジェクトのアクセス履歴をさらに正確かつ詳細に管理することができるという効果を奏する。
【図面の簡単な説明】
【図１】本発明にかかる一実施の形態の構成を示すブロック図である。
【図２】図１に示したファイル情報データベース１１０のテーブル構造を示す図である。
【図３】図１に示したアプリケーション情報データベース１２０のテーブル構造を示す図である。
【図４】図１に示したアクセス履歴情報データベース１３０のテーブル構造を示す図である。
【図５】同一実施の形態の動作を説明するフローチャートである。
【図６】同一実施の形態の動作を説明するフローチャートである。
【図７】図５に示したアプリケーション情報登録処理を説明するフローチャートである。
【図８】図５に示したアプリケーション情報取得処理を説明するフローチャートである。
【図９】図５に示したアプリケーション情報更新処理を説明するフローチャートである。
【図１０】図５に示したアプリケーション情報削除処理を説明するフローチャートである。
【図１１】図５に示したファイルアップロード処理を説明するフローチャートである。
【図１２】図５に示したファイル情報登録処理を説明するフローチャートである。
【図１３】図５に示したファイル情報取得処理を説明するフローチャートである。
【図１４】図５に示したファイル削除処理を説明するフローチャートである。
【図１５】図６に示したファイル情報削除処理を説明するフローチャートである。
【図１６】図６に示したアクセス履歴情報登録処理を説明するフローチャートである。
【図１７】図６に示したアクセス履歴情報取得処理を説明するフローチャートである。
【図１８】同一実施の形態におけるアクセス履歴情報の表示例を示す図である。
【図１９】同一実施の形態の変形例の構成を示すブロック図である。
【図２０】従来のアクセス履歴アイコン１０を示す図である。
【図２１】従来のデスクトップ画面におけるアクセス履歴アイコンの表示例を示す図である。
【符号の説明】
１００  サーバ
１０１  通信インタフェース
１０２  記憶部
１０３１  〜１０３ｍ  アプリケーション実行部
１０４  アクセス検出部
１０５  制御部
１０６  管理部
１１０  ファイル情報データベース
１２０  アプリケーション情報データベース
１３０  アクセス履歴情報データベース
２００  ネットワーク
３００１  〜３００ｓ  クライアント
４００  管理者端末
【図１】
2004265141.tif 000003
【図２】
2004265141.tif 000004
【図３】
2004265141.tif 000005
【図４】
2004265141.tif 000006
【図５】
2004265141.tif 000007
【図６】
2004265141.tif 000008
【図７】
2004265141.tif 000009
【図８】
2004265141.tif 000010
【図９】
2004265141.tif 000011
【図１０】
2004265141.tif 000012
【図１１】
2004265141.tif 000013
【図１２】
2004265141.tif 000014
【図１３】
2004265141.tif 000015
【図１４】
2004265141.tif 000016
【図１５】
2004265141.tif 000017
【図１６】
2004265141.tif 000018
【図１７】
2004265141.tif 000019
【図１８】
2004265141.tif 000020
【図１９】
2004265141.tif 000021
【図２０】
2004265141.tif 000022
【図２１】
2004265141.tif 000023